【手続補正書】
【提出日】平成19年10月1日(2007.10.1)
【手続補正１】
【補正対象書類名】明細書
【補正対象項目名】発明の名称
【補正方法】変更
【補正の内容】
【発明の名称】地図配信処理システム、サーバ、地図配信処理装置、ナビゲーション装置、地図配信処理方法及び地図配信プログラム
【手続補正２】
【補正対象書類名】明細書
【補正対象項目名】特許請求の範囲
【補正方法】変更
【補正の内容】
【特許請求の範囲】
【請求項１】  放送番組で放送された施設の位置情報を含む施設情報を格納するサーバと、
前記サーバから前記サーバに格納された前記施設情報をダウンロードする地図配信処理装置と、
前記地図配信処理装置がダウンロードした前記施設情報を取得し、記憶するナビゲーション装置と、
を備えることを特徴とする地図配信処理システム。
【請求項２】  放送番組で放送された施設の位置情報を含む施設情報を格納する格納手段と、
外部からのダウンロード要求に基づいて、前記格納手段に格納された前記施設情報を配信する配信手段と、
を備えることを特徴とするサーバ。
【請求項３】  放送番組で放送された施設の位置情報を含む施設情報を格納するサーバに前記施設情報の配信を要求する要求手段と、
前記サーバから配信された前記施設情報を取得する取得手段と、
前記取得手段により取得した前記施設情報を外部機器に伝送する伝達手段と、
を備える地図配信処理装置。
【請求項４】  放送番組で放送された施設の位置情報を含む施設情報を格納する格納手段から前記施設情報を取得する取得手段と、
前記取得手段により取得した前記施設情報を記憶する記憶手段と、
を備えることを特徴とするナビゲーション装置。
【請求項５】  放送番組で放送された施設の位置情報を含む施設情報を格納するサーバに前記施設情報の配信を要求する要求手段と、前記サーバから配信された前記施設情報を取得する取得手段と、前記取得手段により取得した前記施設情報を格納する格納手段と、を有する地図配信処理装置と、
前記格納手段に格納された前記施設情報を取得する取得手段と、前記取得手段により取得した前記施設情報を記憶する記憶手段と、を有するナビゲーション装置と、
を備えることを特徴とする地図配信処理システム。
【請求項６】  放送番組で放送された施設の位置情報を含む施設情報を格納するサーバに前記施設情報の配信を要求する要求ステップと、
前記サーバから配信された前記施設情報を取得する取得ステップと、
前記取得ステップにより取得された前記施設情報を外部に伝送する伝達ステップと、
を備えることを特徴とする地図配信処理方法。
【請求項７】  放送番組で放送された施設の位置情報を含む施設情報を格納するサーバに前記施設情報の配信を要求する要求ステップと、
前記サーバから配信された前記施設情報を取得する取得ステップと、
前記取得ステップにより取得された前記施設情報を外部に伝送する伝達ステップと、
を備えることを特徴とする地図配信プログラム。
【請求項８】  放送番組で放送された施設の位置情報を含む施設情報を格納するサーバと、
前記サーバに格納された前記施設情報の配信を要求すると共に、前記施設情報の配信先を指定する指定手段を備える地図配備処理装置と、を備え、
前記サーバは、前記要求手段により指定された配信先に、前記要求された施設情報を配信することを特徴とする地図配信処理システム。
【請求項９】  放送番組で放送された施設の位置情報を含む施設情報を格納するサーバに前記施設情報の配信を要求する要求手段と、
前記施設情報の配信先を指定する指定手段と、を備える地図配信処理装置。
【請求項１０】  放送番組で放送された施設の位置情報を含む施設情報を格納して配信するサーバであって、
地図配信処理装置から前記施設情報の配信要求及び配信先を受け付ける受付手段と、
前記受付手段により受け付けた前記施設情報を前記配信先に配信する配信手段と、を備えることを特徴とするサーバ。
【請求項１１】  放送番組で放送された施設の位置情報を含む施設情報を格納するサーバに前記施設情報の配信を要求すると共に、前記施設情報の配信先を指定する要求ステップと、
前記要求ステップにより要求された前記施設情報を、前記要求された配信先に配信する配信ステップと、を備えることを特徴とする地図配信処理方法。
【手続補正３】
【補正対象書類名】明細書
【補正対象項目名】０００１
【補正方法】変更
【補正の内容】
【０００１】
【発明の属する技術分野】
本発明は、ナビゲーション装置に、取得した施設地図情報を格納できるようにした地図配信処理システム、サーバ、地図配信処理装置、ナビゲーション装置、地図配信処理方法及び地図配信プログラムに関する。
【手続補正４】
【補正対象書類名】明細書
【補正対象項目名】０００８
【補正方法】変更
【補正の内容】
【０００８】
【課題を解決するための手段】
以上の課題を解決するため、本発明では、地図配信処理システムにおいて、放送番組で放送された施設の位置情報を含む施設情報を格納するサーバと、前記サーバから前記サーバに格納された前記施設情報をダウンロードする地図配信処理装置と、前記地図配信処理装置がダウンロードした前記施設情報を取得し、記憶するナビゲーション装置とを備えた。
【手続補正５】
【補正対象書類名】明細書
【補正対象項目名】０００９
【補正方法】変更
【補正の内容】
【０００９】
また、本発明による地図配信処理システムのサーバでは、放送番組で放送された施設の位置情報を含む施設情報を格納する格納手段と、外部からのダウンロード要求に基づいて、前記格納手段に格納された前記施設情報を配信する配信手段と、を備えた。
また、本発明による地図配信処理システムの地図配信処理装置では、放送番組で放送された施設の位置情報を含む施設情報を格納するサーバに前記施設情報の配信を要求する要求手段と、前記サーバから配信された前記施設情報を取得する取得手段と、前記取得手段により取得した前記施設情報を外部機器に伝送する伝達手段と、を備えた。
また、本発明による地図配信処理システムのナビゲーション装置では、放送番組で放送された施設の位置情報を含む施設情報を格納する格納手段から前記施設情報を取得する取得手段と、前記取得手段により取得した前記施設情報を記憶する記憶手段と、を備えた。
【手続補正６】
【補正対象書類名】明細書
【補正対象項目名】００１０
【補正方法】変更
【補正の内容】
【００１０】
本発明では、地図配信処理システムにおいて、放送番組で放送された施設の位置情報を含む施設情報を格納するサーバに前記施設情報の配信を要求する要求手段と、前記サーバから配信された前記施設情報を取得する取得手段と、前記取得手段により取得した前記施設情報を格納する格納手段と、を有する地図配信処理装置と、前記格納手段に格納された前記施設情報を取得する取得手段と、前記取得手段により取得した前記施設情報を記憶する記憶手段と、を有するナビゲーション装置と、を備えた。
また、本発明では、地図配信処理方法において、放送番組で放送された施設の位置情報を含む施設情報を格納するサーバに前記施設情報の配信を要求する要求ステップと、前記サーバから配信された前記施設情報を取得する取得ステップと、前記取得ステップにより取得された前記施設情報を外部に伝送する伝達ステップと、を備えた。
【手続補正７】
【補正対象書類名】明細書
【補正対象項目名】００１１
【補正方法】変更
【補正の内容】
【００１１】
本発明では、地図配信処理プログラムにおいて、放送番組で放送された施設の位置情報を含む施設情報を格納するサーバに前記施設情報の配信を要求する要求ステップと、前記サーバから配信された前記施設情報を取得する取得ステップと、前記取得ステップにより取得された前記施設情報を外部に伝送する伝達ステップと、を備えた。
また、本発明では、地図配信処理システムにおいて、放送番組で放送された施設の位置情報を含む施設情報を格納するサーバと、前記サーバに格納された前記施設情報の配信を要求すると共に、前記施設情報の配信先を指定する指定手段を備える地図配備処理装置と、を備え、前記サーバは、前記要求手段により指定された配信先に、前記要求された施設情報を配信するようにした。
【手続補正８】
【補正対象書類名】明細書
【補正対象項目名】００１２
【補正方法】変更
【補正の内容】
【００１２】
また、本発明による地図配信処理システムの地図配信処理装置では、放送番組で放送された施設の位置情報を含む施設情報を格納するサーバに前記施設情報の配信を要求する要求手段と、前記施設情報の配信先を指定する指定手段と、を備えた。
また、本発明による地図配信処理システムのサーバでは、放送番組で放送された施設の位置情報を含む施設情報を格納して配信するサーバであって、地図配信処理装置から前記施設情報の配信要求及び配信先を受け付ける受付手段と、 前記受付手段により受け付けた前記施設情報を前記配信先に配信する配信手段と、を備えた。
また、本発明では、地図配信処理方法において、放送番組で放送された施設の位置情報を含む施設情報を格納するサーバに前記施設情報の配信を要求すると共に、前記施設情報の配信先を指定する要求ステップと、前記要求ステップにより要求された前記施設情報を、前記要求された配信先に配信する配信ステップと、を備えた。